(57)【要約】【課題】従来の技術においては、冊子は中央に綴じ目があり、冊子を開いたときに綴じ目を挟んで谷ができてその頁境界線付近の面は平面状態にならないために読み取り装置がその個所の文字に対して正面から対向して作用せず、角度をもってスキャンすることになり、その個所の文字が斜め方向からゆがんだ状態で読み取られてしまうという問題がある。【解決手段】冊子原稿を開いた状態でセットするテーブルと、そのセットされた冊子原稿を押さえる透明な蓋およびその蓋の上から開いた冊子原稿を読み取る読み取り装置からなり、テーブルが、その上に冊子原稿を開いて載せて蓋を閉じることによって、冊子原稿の綴じ目および左右の厚さに応じてその部位毎に下がって開いた両頁を同一平面状とすると共に冊子原稿を下から押し上げるようにし、その冊子原稿の閉じ目の谷をひろげるようにしたことを特徴とする。【選択図】        図１
2005210388.tif 000002
【特許請求の範囲】
【請求項１】
冊子原稿を開いた状態でセットするテーブルと、そのセットされた冊子原稿を押さえる透明な蓋およびその蓋の上から開いた冊子原稿を読み取る読み取り装置からなり、テーブルが、冊子原稿を開いて載せて蓋を閉じることにより、冊子原稿の綴じ目および左右の厚さに応じてその部位毎に下がって開いた両頁を同一平面状とすると共にその冊子原稿を下から押し上げるようにし、その冊子原稿の閉じ目の谷をひろげるようにしたことを特徴とする冊子原稿読み取り装置。
【請求項２】
請求項１において、テーブルを、幅方向に複数に分割した分割テーブルとし、この各分割テーブルはそれぞれ独立して上下動可能となるように設けられ、それぞれが下方から押し上げ手段によって常時上方に向けて押圧されていることを特徴とする冊子原稿読み取り装置。
【請求項３】
請求項１において、テーブルを、冊子原稿一冊を沈み込ませることができる程度の厚みのある変形可能な弾性体盤としたことを特徴とする冊子原稿読み取り装置。
【発明の詳細な説明】
【技術分野】
【０００１】
本発明は、綴じ目のある冊子のような原稿を読み取り装置で高品質に読み取ることができる冊子原稿読み取り装置に関する。
【背景技術】
【０００２】
従来の冊子原稿をＯＣＲ等の読み取り装置で読み取る読み取り装置は、冊子の文字面をなるたけ平面状にして読み取り装置が文字に対して正面から対向して作用するように文字面を平面状態に保つための工夫がされている（例えば、特許文献１参照。）。
【特許文献１】特開平５−１５９０９６号公報
【発明の開示】
【発明が解決しようとする課題】
【０００３】
しかし、上述した従来の技術においては、冊子は中央に綴じ目があり、冊子を開いたときに綴じ目を挟んで谷ができてその頁境界線付近の面は平面状態にならないために読み取り装置がその個所の文字に対して正面から対向して作用せず、角度をもってスキャンすることになり、そのために、その個所の文字が斜め方向からゆがんだ状態で読み取られてしまうという問題がある。
【０００４】
本発明は、上記の問題点を解決するためになされたもので、冊子を開いたときの綴じ目部分の谷及び開いた左右の異なる厚さに対応して読み取り面全面を同一平面状にする手段を提供することを目的とする。
【課題を解決するための手段】
【０００５】
そこで本発明は、冊子原稿を開いた状態でセットするテーブルと、そのセットされた冊子原稿を押さえる透明な蓋およびその蓋の上から開いた冊子原稿を読み取る読み取り装置からなり、テーブルが、冊子原稿をその上に開いて載せて蓋を閉じることにより、冊子原稿の綴じ目および左右の厚さに応じてその部位毎に下がって開いた両頁を同一平面状とすると共に冊子原稿を下から押し上げるようにし、その冊子原稿の閉じ目の谷をひろげるようにしたことを特徴とする。
【発明の効果】
【０００６】
これにより、本発明は、冊子原稿の開かれた綴じ目の谷付近および左右の厚みの異なる両頁の全面を高品質状態で読み取ることができるという効果が得られる。
【発明を実施するための最良の形態】
【０００７】
以下に、図面を参照して本発明の実施例を説明する。
第１実施例
【０００８】
図１は本発明の第１実施例を示す全体斜視図、図２は作動状態を示す全体斜視図、図３は正面説明図、図４および図５は作動状態を示す正面説明図である。
図において、１は冊子原稿、２は装置本体であり、冊子原稿１を開いた状態でセットするテーブル３と、そのセットされた冊子原稿１を押さえる透明な蓋４およびその蓋４の上から開いた冊子原稿１を読み取る読み取り装置５から構成されている。
【０００９】
上記テーブル３は、図１および図２に示す矢印ＡＢ方向である幅方向が図１および図３から図５に示す如く、３分割された分割テーブル３１、３２、３３になっており、その中央の分割テーブル３１は幅が狭く、冊子原稿１の綴じ部（背表紙）に対応できる大きさ（幅）であり、その分割テーブル３１を挟んだ両側の分割テーブル３２、３３は幅が広く、１頁の大きさに対応できる大きさ（幅）としてある。
【００１０】
この各分割テーブル３１、３２、３３はそれぞれ独立して上下動可能となるように設けられ、それぞれが下方からスプリング等の押し上げ手段によって常時上方に向けて押圧されている。
なお、上記説明ではテーブルを３分割で説明したが、必要に応じてそれ以上の数の分割テーブルとしてもよい。
【００１１】
また、各分割テーブル３１、３２、３３の上面（表面）は通常時（不使用時）は面一状になるように各分割テーブル３１、３２、３３で構成するテーブル３の周囲もしくは図１および図２に示す矢印ＡＢ方向である幅方向の上下両側を支持するような枠状体等のストッパを設けてテーブルが外れないように止めてある。
上記蓋４は、ガラスやプラスチック等の透明な板状体であり、テーブル３の周囲一側に沿って回動可能に支持されてテーブル３を開閉可能にしてあり、閉じたときに、その裏面がテーブル３上に開いて置いた冊子原稿１の読み取り面に密着するようにして冊子原稿１をおさえる。
【００１２】
上記読み取り装置５は、装置本体２の上部に載置するか装置本体２の近傍に配置されており、稼動時には、閉じている蓋４の上面に沿って移動して蓋４の下の冊子原稿１の読み取り面を読み取る。
上述した構成の作用について３分割のテーブルで説明する。
冊子原稿１の所望の頁を開き、図３に示す如く、綴じ目（背表紙）を分割テーブル３１上に合わせ、その左右の頁もそれぞれ分割テーブル３２、３３上に合わせて載せる。
【００１３】
この状態で、図４に示す如く、蓋４を閉じると、その蓋４によって冊子原稿１が押圧されて開かれた左右の頁の異なる厚さに応じて各分割テーブル３１、３２、３３をそれぞれ押し下げることになり、冊子原稿１の上面は同一平面となる。
つまり、蓋４を閉めて押し付けると、その冊子原稿１の各部位はその厚さ応じた量だけ下がると共に押し上げ手段による下からの押し上げ力と蓋４による押し付け力により読み取り面は挟まれて面一状に押圧され、しかも同様に蓋４で綴じ目の頁境界線付近の谷も平面状に押圧されることにより、その綴じ目はひろげられて頁境界線付近の文字や図形も蓋４に密着して平面状態になる。
【００１４】
このようにした状態で、図２および図５に示す如く、透明である蓋４に沿って読み取り装置５を移動することにより、冊子原稿１の開かれた両頁の全面を高品質状態に読み取ることができる。
第２実施例
【００１５】
つぎに、本発明の第２実施例を説明する。
本実施例が上記第１実施例と異なる構成はテーブルであり、その他の部分は上記と同様であるので同様の部分は、同一の符号を付してその説明を省略する。
図６は本発明の第２実施例を示す全体斜視図、図７は作動状態を示す全体斜視図、図８は正面説明図、図９および図１０は作動状態を示す正面説明図である。
【００１６】
図において、６はテーブルであり、ゴムや合成樹脂等による冊子原稿１一冊を十分に沈み込ませることができる程度の厚みのある変形可能な一枚の弾性体盤である。その弾性体は、載せた冊子原稿１を沈み込ませしかもそれを下から押し上げる反発力を有する弾性力があるもので、例えば気泡の細かいスポンジ状体等である。
上記の構成の作用について説明する。
【００１７】
冊子原稿１の所望の頁を開き、図８に示す如く、綴じ目（背表紙）をテーブル６の中程に合わせて載せる。
この状態で、蓋４を閉じると、図９に示す如く、その蓋４によって冊子原稿１が押圧され、綴じ目および開かれた頁の異なる厚さに応じてテーブル６はその部分ごとにそれぞれ押し下げられて変形して冊子原稿１は沈み込むことになり、冊子原稿１の上面は同一平面となる。
【００１８】
つまり、上方から蓋４を閉めて押し付けると、その冊子原稿１の各部位はその厚さに応じた量だけ下がると共にテーブル６の下からの弾性体の弾性力による押し上げ力と蓋４による押し付け力により読み取り面は挟まれて面一状に押圧され、しかも蓋４で綴じ目の谷も平面状に押圧されることになり、その綴じ目はひろげられて頁境界線付近の文字や図形も蓋４に密着して平面状態になる。
【００１９】
このようにした状態で、図１０に示す如く、透明である蓋４に沿って読み取り装置５を移動することにより、冊子原稿１の開かれた両頁の全面を高品質状態に読み取ることができる。また、上記第１実施例に比べて構造が単純で製造が容易であり、しかも安価な装置とすることができる。
【図面の簡単な説明】
【００２０】
【図１】第１実施例を示す全体斜視図
【図２】作動状態を示す全体斜視図
【図３】正面説明図
【図４】作動状態を示す正面説明図
【図５】作動状態を示す正面説明図
【図６】第２実施例を示す全体斜視図
【図７】作動状態を示す全体斜視図
【図８】正面説明図
【図９】作動状態を示す正面説明図
【図１０】作動状態を示す正面説明図
【符号の説明】
【００２１】
１  冊子原稿
２  装置本体
３  テーブル
３１、３２、３３  分割テーブル
４  蓋
５  読み取り装置
６  テーブル  
【図１】
2005210388.tif 000003
【図２】
2005210388.tif 000004
【図３】
2005210388.tif 000005
【図４】
2005210388.tif 000006
【図５】
2005210388.tif 000007
【図６】
2005210388.tif 000008
【図７】
2005210388.tif 000009
【図８】
2005210388.tif 000010
【図９】
2005210388.tif 000011
【図１０】
2005210388.tif 000012